(57)【要約】【課題】音響再生装置からの音響データを、安定して音響出力装置に送信できる送信装置を提供する。【解決手段】本発明に係る送信装置２は、視聴者が携帯する音響再生装置１によって再生した音響データを、この視聴者が装備する、音響出力装置５に対して、光通信により送信する。この送信装置２は、音響出力装置５との通信を確立できる位置に自装置を装着するための装着部を備える。【選択図】図１
2008010973.tif 000002
【特許請求の範囲】
【請求項１】
視聴者が携帯する音響再生装置によって再生した音響データを、該視聴者が装備する、該音響データに基づき出力処理する音響出力装置に対して、光信号を利用した無線データ通信により送信する送信装置であって、
視聴者自身または該視聴者の装備品に自装置を装着するための装着部を備えることを特徴とする送信装置。
【請求項２】
上記装着部はクリップ形状をしていることを特徴とする請求項１に記載の送信装置。
【請求項３】
上記音響データを圧縮する圧縮部を備え、
上記圧縮部によって圧縮した音響データを音響出力装置に送信することを特徴とする請求項１または２に記載の送信装置。
【請求項４】
上記音響出力装置は、複数の音響データに基づき出力処理しており、
上記音響出力装置において、上記複数の音響データにおいて互いに異なる音響データそれぞれを出力処理するタイミングを規定する出力タイミング情報を、上記音響データそれぞれに付与し、送信を指示する送信指示部を備えることを特徴とする請求項１〜３のいずれか１項に記載の送信装置。
【請求項５】
上記圧縮部は、送信すべき上記音響データ全体を分割し、それぞれを圧縮しており、
上記圧縮部により分割されて圧縮された音響データが、上記音響出力装置において連続した音響データとして復元できるようにするための復元情報を、圧縮した音響データに付与し、該音響データの送信を指示する送信指示部を備えることを特徴とする請求項３に記載の送信装置。
【請求項６】
音響データの受信準備が完了した旨を示す受信完了情報を上記音響出力装置から受信する受信部をさらに備え、
上記送信指示部は、上記受信部によって受信した受信完了情報に応じて、上記音響出力装置に対する、次の音響データの送信を指示することを特徴とする請求項４または５に記載の送信装置。
【請求項７】
振動方向が一定方向となる光のみを透過させる偏光部を備え、
上記音響データの光信号を上記偏光部を介して、音響出力装置に出力しており、
上記偏光部の光の透過軸方向が、音響出力装置に音響データを送信する他の送信装置とは異なることを特徴とする請求項１〜６のいずれか1項に記載の送信装置。
【請求項８】
請求項１〜７のいずれか１項に記載の送信装置と、
上記送信装置から送信された音響データを受信する受信装置を有し、該音響データを出力する音響出力装置と、を備えることを特徴とする音響再生システム。
【請求項９】
通信を確立する受信装置と送信装置との組が複数設けられ、該受信装置および送信装置それぞれは、振動方向が一定方向となる光のみを透過させる偏光部を備えており、上記偏光部の光の透過軸方向が、通信を確立する送信装置と受信装置との組では、一致するとともに、他の通信を確立する送信装置と受信装置との組とは異なっていることを特徴とする音響再生システム。
【請求項１０】
音響データを、上記音響出力装置に対して、光信号を利用したデータ通信により送信する、上記送信装置以外の他の送信装置をさらに備えており、
上記受信装置は、上記の他の送信装置に対しても通信を確立できることを特徴とする請求項８または９に記載の音響再生システム。
【発明の詳細な説明】
【技術分野】
【０００１】
本発明は、視聴者により携帯される音響再生装置によって再生された音響データを、光信号を利用したデータ通信により、視聴者が装備した音響出力装置に送信する送信装置、および音響再生システムに関するものである。
【背景技術】
【０００２】
近年、家庭用電化製品のリモコン、あるいはノート型パソコン等の情報機器同士間での無線通信手段として、赤外線通信が利用されている。この赤外線通信を実現する通信装置は、送信すべきデータを光信号に変換し、該光信号によってデータを送受信している。このため、上記通信装置は、データを光信号に変換して他の通信装置に送信する送信部と、他の通信装置から受信した光信号をデータに変換する受信部とを備える。
【０００３】
上記したような構成を備え、他の装置に対する光信号の送信と、他の装置からの光信号の受信とを同時に行う、いわゆる全２重通信を可能とする装置として、例えば、特許文献１に示す赤外線通信装置が開示されている。
【０００４】
この赤外線通信装置では、送信部と受信部との光信号の通路上に、互いに偏光角度が直交する２つの偏光板を設け、これら２つの偏光板に隣接し、かつ光信号の通路上に、通過する光信号の波面を回転する波面回転部を設けている。このため、機器同士の配置角度に関係なく全２重通信を行うことができる。
【０００５】
また、２系統以上からの赤外線伝送を混信させないで伝送できる伝送システムとして、特許文献２に示す伝送システムが開示されている。この伝送システムでは、送信部から照射する光を透過する偏光板と、受信装置において該光を受光する偏光板との間での偏波面が、他の送信装置における偏光板と、該他の送信装置からの光を受光する他の受信装置の偏光板との間での偏波面と異なるように構成されている。
【０００６】
上記したように、赤外線通信では、２系統以上からの赤外線伝送を混信させることなく、また、機器同士の配置角度に関係なく全２重通信を行うことができるようになっている。このように赤外線通信の技術が向上するにつれ、該赤外線通信の利用は広がっている。
【０００７】
上記赤外線通信を利用したシステムの具体例として、例えば、下記に示すような音響再生システムが開発されている。すなわち、この音響再生システムは、ステレオ等の音響再生装置と、該音響再生装置によって再生された音響データを無線により送信する送信装置と、該送信装置から送信された音響データを受信し出力する、ヘッドホン等の音響出力装置とから構成される。
【０００８】
この音響再生システムでは、上記音響再生装置と送信装置とは有線により接続され、それぞれが所定位置に設置されている。一方、音響出力装置は、ユーザに携帯されており、
送信装置から光通信により送信された音響データを受信することができるようになっている。
【０００９】
このように、送信装置と音響出力装置との間で送信される音響データを光通信により伝送することにより、音響再生装置と音響出力装置とがワイヤ等の有線で接続されているシステムと比較して、ユーザは、有線による煩わしさを感じることなく再生された音楽を聴くことができる。
【特許文献１】特開２００１−１７７４７７号公報（２００１年６月２９日公開）
【特許文献２】特開平９−８３４３７号公報（１９９７年３月２８日公開）
【発明の開示】
【発明が解決しようとする課題】
【００１０】
ところで、ヘッドホン等の音響出力装置を利用して音楽を聴く主な様式として、室内等に設置された据え置き型の音響再生装置により再生した音楽を視聴する場合と、携帯型音響再生装置により再生した音楽を視聴する場合とがある。
【００１１】
しかしながら、後者の様式では、上記従来の音響再生システムでは、音響データを安定して送信することができないといった問題が生じる。
【００１２】
すなわち、上記した従来の音響再生システムは、上記後者の様式を想定した構成となっていない。特には、音響再生装置をユーザの衣服のポケット等、装備品内に収容して利用する利用様式を想定したものではない。
【００１３】
このため、この従来の音響再生システムを構成する音響再生装置および送信装置をユーザが携行できるように小型化したとしても、該音響再生装置をユーザの装備品内に収容して利用する場合、上記送信装置も装備品内に収容されてしまう。それ故、従来の音響再生システムでは、送信装置から出力される光信号がポケット等装備品によって阻害されてしまい、音響出力装置との光通信を安定して確立することができない。
【００１４】
したがって、上記従来の構成では、ユーザの装備品内に収容した音響再生装置からの音響データを、音響出力装置が安定して受信することができないという問題を生じる。
【００１５】
本発明は、上記の問題点に鑑みてなされたものであり、その目的は、音響再生装置からの音響データを、安定して音響出力装置に送信できる送信装置、および音響再生システムを実現することにある。
【課題を解決するための手段】
【００１６】
本発明に係る送信装置は、上記した課題を解決するために、視聴者が携帯する音響再生装置によって再生した音響データを、該視聴者が装備する、該音響データに基づき出力処理する音響出力装置に対して、光信号を利用した無線データ通信により送信する送信装置であって、視聴者自身または該視聴者の装備品に自装置を装着するための装着部を備えることを特徴とする。
【００１７】
上記音響再生装置は、例えば、例えばＰＤＡ（personal digital assistance）、音楽再生機能付携帯型電話機等の携帯端末装置によって実現できる。また、音響出力装置は、例えば、ヘッドホン、イヤホン等の携帯型レシーバによって実現できる。
【００１８】
また、上記光信号を利用した無線データ通信とは、例えば、赤外線、可視光を利用した無線データ通信（赤外線通信、可視光通信）が挙げられる。
【００１９】
上記構成によると、送信装置は、装着部を備えるため、例えば、音響出力装置との通信を確立できる位置に自装置を装着することができる。
【００２０】
このため、音響再生装置が視聴者のポケット等装備品内に収容されている場合であっても、上記送信装置を、該ポケットの外に装着させ光信号を利用したデータ通信が行える位置に配置させることができる。すなわち、送信装置と携帯端末装置との間で確立する通信が阻害されないように、当該送信装置を配置することができる。
【００２１】
したがって、本発明に係る送信装置は、音響再生装置からの音響データを、安定して音響出力装置に送信できるという効果を奏する。
【００２２】
本発明に係る送信装置は、上記した構成において、上記装着部はクリップ形状をしていることが好ましい。
【００２３】
また、本発明に係る送信装置は、上記した構成において、上記音響データを圧縮する圧縮部を備え、上記圧縮部によって圧縮した音響データを音響出力装置に送信するように構成されていてもよい。
【００２４】
上記構成によると圧縮部を備えているため、送信装置は、音響データを効率よく送信することができる。
【００２５】
また、本発明に係る送信装置は、上記した構成において、上記音響出力装置は、複数の音響データに基づき出力処理しており、上記音響出力装置において、上記複数の音響データにおいて互いに異なる音響データそれぞれを出力処理するタイミングを規定する出力タイミング情報を、上記音響データそれぞれに付与し、送信を指示する送信指示部を備えるように構成されていてもよい。
【００２６】
上記構成によると、送信指示部を備えているため、異なる音響データを送信する場合であっても、音響出力装置側での、それぞれの音響データに基づき出力処理するタイミングを規定することができる。
【００２７】
よって、本発明に係る送信装置は、音響データに基づく出力処理を適切に実行できるように規定して、該音響データを音響出力装置に送信することができる。
【００２８】
また、本発明に係る送信装置は、上記した構成において、上記圧縮部は、送信すべき上記音響データ全体を分割し、それぞれを圧縮しており、上記圧縮部により分割されて圧縮された音響データが、上記音響出力装置において連続した音響データとして復元できるようにするための復元情報を、圧縮した音響データに付与し、該音響データの送信を指示する送信指示部を備えるように構成されていてもよい。
【００２９】
上記圧縮部が、送信すべき音響データを分割し、圧縮することができるため、送信すべき音響データのデータ量が大きい場合であっても効率よく音響データを送信することができる。
【００３０】
また、送信指示部を備えるため、分割された音響データそれぞれが連続した１つのデータとなるよう復元できるように規定することができる。
【００３１】
よって、本発明に係る送信装置は、音響データを効率よく送信することができるとともに、送信した音響データを音響出力装置側で適切に復元できるように規定することができる。
【００３２】
また、本発明に係る送信装置は、上記した構成において、音響データの受信準備が完了した旨を示す受信完了情報を上記音響出力装置から受信する受信部をさらに備え、上記送信指示部は、上記受信部によって受信した受信完了情報に応じて、上記音響出力装置に対する、次の音響データの送信を指示するように構成されていてもよい。
【００３３】
上記構成によると、上記受信部を備えるため、音響出力装置において音響データの受信準備が完了した旨把握することができる。そして、音響データの受信準備が完了した旨を確認した上で、送信指示部が次の音響データの送信を指示することができる。このため、本発明に係る送信装置は、音響出力装置が受信可能なデータ量を超えて音響データを送信することを防ぐことができる。
【００３４】
よって、本発明に係る送信装置は、適切なデータ量で効率よく音響データの送信を行うことができる。
【００３５】
また、本発明に係る送信装置は、上記した構成において、振動方向が一定方向となる光のみを透過させる偏光部を備え、上記音響データの光信号を上記偏光部を介して、音響出力装置に出力しており、上記偏光部の光の透過軸方向が、音響出力装置に音響データを送信する他の送信装置とは異なるように構成されていてもよい。
【００３６】
上記構成によると、光の透過軸方向が、他の通信を確立する送信装置とは異なっている偏光部を送信装置が備えている。
【００３７】
このため、本発明に係る送信装置から送信した光信号と他の送信装置から送信した光信号とが、音響出力装置において混信されて受光されることを防ぐことができる。
【００３８】
本発明に係る音響再生システムは、上記した課題を解決するために、視聴者が携帯する音響再生装置によって再生した音響データを、該視聴者が装備する、該音響データに基づき出力処理する音響出力装置に対して、光信号を利用したデータ通信により送信する送信装置であって、上記装着部、上記圧縮部、上記送信指示部、および上記受信部を有する送信装置と、上記送信装置から送信された音響データを受信する受信装置を有し、該音響データを出力する音響出力装置と、を備えることを特徴とする。
【００３９】
したがって、本発明に係る音響再生システムは、音響再生装置からの音響データを、安定して音響出力装置に送信できるという効果を奏する。
【００４０】
また、本発明に係る音響再生システムは、上記した構成において、通信を確立する受信装置と送信装置との組が複数設けられ、該受信装置および送信装置それぞれは、振動方向が一定方向となる光のみを透過させる偏光部を備えており、上記偏光部の光の透過軸方向が、通信を確立する送信装置と受信装置との組では、一致するとともに、他の通信を確立する送信装置と受信装置との組とは異なっていることが好ましい。
【００４１】
上記構成によると、光の透過軸方向が、通信を確立する送信装置と受信装置との組では、一致するとともに、他の通信を確立する送信装置と受信装置との組とは異なっている偏光部を受信装置および送信装置が備えている。このため、通信を確立する受信装置と送信装置との組以外の他の組の通信が混信することを防ぐことができる。
【００４２】
よって、本発明に係る音響再生システムは、２系統以上の通信を確立する場合であっても、互いに混信することなく通信することができる。
【００４３】
また、本発明に係る音響再生システムは、上記した構成において、音響データを、上記音響出力装置に対して、光信号を利用したデータ通信により送信する、上記送信装置以外の他の送信装置をさらに備えており、上記受信装置は、上記他の送信装置に対しても通信を確立できるように構成されていてもよい。
【００４４】
上記構成によると、上記受信装置が上記送信装置以外の他の送信装置に対しても通信を確立させることができる。すなわち、上記受信装置が上記他の送信装置からの情報を受信する装置としても兼用することができる。
【発明の効果】
【００４５】
本発明に係る送信装置は、以上のように、視聴者が携帯する音響再生装置によって再生した音響データを、該視聴者が装備する、該音響データに基づき出力処理する音響出力装置に対して、光信号を利用した無線データ通信により送信する送信装置であって、視聴者自身または該視聴者の装備品に自装置を装着するための装着部を備えることを特徴とする。
【００４６】
したがって、本発明に係る送信装置は、音響再生装置からの音響データを、安定して音響出力装置に送信できるという効果を奏する。
【００４７】
本発明に係る音響再生システムは、以上のように、視聴者が携帯する音響再生装置によって再生した音響データを、該視聴者が装備する、該音響データに基づき出力処理する音響出力装置に対して、光信号を利用したデータ通信により送信する送信装置であって、上記装着部、上記圧縮部、上記送信指示部、および上記受信部を有する送信装置と、上記送信装置から送信された音響データを受信する受信装置を有し、該音響データを出力する音響出力装置と、を備えることを特徴とする。
【００４８】
したがって、本発明に係る音響再生システムは、音響再生装置からの音響データを、安定して音響出力装置に送信できるという効果を奏する。
【発明を実施するための最良の形態】
【００４９】
本発明の一実施形態について図１ないし図１４に基づいて説明すると以下の通りである。すなわち、本実施の形態に係る音響再生システム１００は、図２に示すように、音響再生装置１、送信装置２、および音響出力装置５を備えてなる構成である。図２は、本発明の実施形態を示すものであり、音響再生システム１００の要部構成を示すブロック図である。
【００５０】
上記音響再生装置１は、音響データを再生するためのものであり、ユーザによって携帯可能な大きさで形成されている。なお、この音響再生装置１としては、例えばＰＤＡ（personal digital assistance）等の携帯端末装置によって実現できる。
【００５１】
上記送信装置２は、上記音響再生装置１によって再生された音響データを赤外線通信により音響出力装置５に送信するものである。この送信装置２は、音響再生装置１とワイヤ等の有線によって接続されており、該音響再生装置１から再生された音響データを、このワイヤを通じて受信することができるようになっている。そして、受信した音響データを光信号（赤外線伝送信号）に変換して、音響出力装置５に送信する。
【００５２】
上記音響出力装置５は、送信装置２から受信した音響データに基づき出力処理するものであり、例えばヘッドホンまたはイヤホン等によって実現できる。この音響出力装置５は、図２に示すように、受信装置３、および音響出力処理部４を備えている。
【００５３】
上記受信装置３は、上記送信装置２から送信された上記音響データの赤外線伝送信号を受信し、視聴可能な形式、すなわち音声信号に復元するものである。受信装置３は、音声信号として復元した音響データを音響出力処理部４に送信する。
【００５４】
上記音響出力処理部４は、受信装置３から受信した音響データに基づき、スピーカ部から音声を出力するように処理するものである。
【００５５】
なお、本実施の形態に係る音響再生システム１００では、上記受信装置３と上記音響出力処理部４とはワイヤ（有線）によって接続され、音響出力装置５として一つの筐体で一体的に形成されている。このため、ユーザは音響再生装置１によって再生された音響データを視聴する場合、上記受信装置３と音響出力装置５とが一体となった、上記音響出力装置５を装備するだけでよく、受信装置３と音響出力処理部４とを別々に装備する必要がない。
【００５６】
ここで、本実施の形態に係る音響再生システム１００の使用態様について図３を参照して説明する。なお、この図３は、本実施の形態に係る音響再生システム１００の使用態様の一例を示す図である。
【００５７】
図３に示すように、上記音響再生装置１は、ユーザの衣服のポケット等に収容して保持される。このため、ユーザは音響再生装置１を常に手に持っておく必要がなく、該音響再生装置１の携行にかかる煩わしさが生じない。
【００５８】
また、音響再生装置１とワイヤで接続されている送信装置２は、自身をユーザの衣類等に固定して装着するための装着部を備えている。より具体的には、図１に示すように、送信装置２は、例えば、上記ポケットの、口の部分の縁部に、上記装着部としてクリップによって固定され、ポケット内部に収容されないようになっている。この図１は、本発明の実施形態を示すものであり、送信装置２の装着状態の一例を示す図である。
【００５９】
本実施の形態に係る送信装置を、上記した装着部により、音響出力装置５が備える受信装置３に対して送信する赤外線の光路が阻害されない位置であって、好ましくはユーザの活動の妨げにならない位置に固着することができる。
【００６０】
なお、本実施の形態に係る音響再生システム１００では、送信装置２を装着部でポケットの口に固定する構成であるが、送信装置２が固定される位置はこれに限定されるものではない。
【００６１】
すなわち、この送信装置２が固定される位置は、視聴者自身または該視聴者の装備品である。そして、視聴者自身に送信装置２が固定される場合、装着部は、例えば、腕時計、首ひも（チョーカ）等のバンド等として実現できる。
【００６２】
一方、装備品に送信装置２が固定される場合、該装備品が衣服等である場合は例えばクリップ、マジックテープ（登録商標）、ピン等として実現できる。
【００６３】
したがって、本実施の形態に係る音響システムにおける、送信装置２は、ユーザのポケットに収容した音響再生装置１により再生した音響データを、安定して音響出力装置５に送信できる。
【００６４】
ここで、上記した構成を有する音響再生システム１００において、１つの受信装置３を備える構成の場合、２つの受信装置３を備える構成の場合、ならびに音響再生装置１以外からの装置から送信されたデータを受信する構成の場合それぞれについて、実施例１、実施例２、および実施例３として説明する。
【００６５】
（実施例１）
まず、図３に示すように、１つの受信装置３を備える場合における音響再生システム１００について説明する。ここでは、図３に示すように、上記受信装置３が、音響出力装置５における、ユーザの耳に当接されるスピーカ部のいずれか一方の近傍に配置されているものとする。
【００６６】
この実施例１に示す音響再生システム１００では、上記音響再生装置１をユーザの胸ポケットに収容している。そして、送信装置２から出力した赤外線を受信装置３が受信できる位置となる、すなわち、送信装置２と受信装置３との間の通信が確立する位置となるように、装着部により胸ポケットの口に、送信装置２を固定している。
【００６７】
このように各装置が配置された音響再生システム１００において、上記送信装置２と受信装置３との間における音響データ転送は以下のように実行される。
【００６８】
まず、図４に示すように、送信装置２は、A／D変換回路２１、圧縮回路２２、制御回路２３、送信回路２４、およびアンテナ２５を備えてなる構成である。なお、この図４は、本発明の実施形態を示すものであり、送信装置２の要部構成を示すブロック図である。
【００６９】
そして、送信装置２では、A／D変換回路２１が、音響再生装置１から受信した音響データを、アナログ信号からデジタル信号に変換し圧縮回路２２に出力する。圧縮回路２２は、デジタル信号に変換した音響データの入力を受けると、所定のデータ量に分割し、それぞれを圧縮し制御回路２３に出力する。
【００７０】
制御回路２３では、この圧縮された音響データそれぞれが、受信装置３において伸張した際に連続したデータとなるようにタイミング信号（復元情報）を付し、送信用データを生成する。そして、制御回路２３は、生成した送信用データを送信回路２４に出力し、該送信用データの送信を指示する。送信回路２４では、制御回路２３により入力された上記送信用データを光信号（赤外線伝送信号）に変換してアンテナ２５を通じて受信装置３に送信する。
【００７１】
一方、受信装置３は、図５に示すようにアンテナ３１、受信回路３２、受信制御回路３３、伸張回路３４、およびD／A変換回路３５を備えてなる構成である。なお、この図５は、本発明の実施形態を示すものであり、受信装置３の要部構成を示すブロック図である。
【００７２】
そして、受信装置３では、受信回路３２が、送信装置２から送信された光信号（音響データの送信用データ）を、アンテナ３１を通じて受信すると、この光信号を電気信号に変換し、受信制御回路３３に入力する。受信制御回路３３は、入力された送信用データから、付加されているタイミング信号に基づき連続したデータとなるように復元し、伸張回路３４に入力する。
【００７３】
伸張回路３４では、受信制御回路３３から入力された、復元した送信用データを伸張し、D／A変換回路３５に出力する。D／A変換回路３５では、伸張された送信用データをデジタル信号から音声信号に変換して音響出力処理部４に送信する。
【００７４】
以上のようにして、１つの受信装置３を備える構成の場合、該受信装置３との通信を確立できる位置に送信装置２を固定し、該送信装置２によって送信した音響データを受信装置３で受信し、音響出力処理部４にて出力処理することができる。
【００７５】
したがって、上記送信装置２は、音響データを効率よく送信することができるとともに、送信した音響データを音響出力装置５側で適切に復元できるように規定することができる。
【００７６】
また、上記した音響再生システム１００では、音響出力装置５において左のスピーカ部から出力する音響データ（Ｌ用音響データ）と、右のスピーカから出力する音響データ（Ｒ用音響データ）とをあわせて送信装置２から受信装置３に送信するように構成することもできる。
【００７７】
このように構成する場合は、上記送信装置２と受信装置３との間における音響データ転送は以下のように実行される。
【００７８】
音響再生装置１から受信したＬ用およびＲ用音響データの音声信号それぞれを、A／D変換回路２１がアナログ信号からデジタル信号に変換し圧縮回路２２に出力する。圧縮回路２２は、デジタル信号に変換したＬ用およびＲ用音響データの入力を受けるとそれぞれのデータを適切なデータ量で分割し、圧縮する。そして、これら圧縮したデータを制御回路２３に出力する。
【００７９】
制御回路２３では、この圧縮されたＬ用音響データとＲ用音響データとを、受信装置３において伸張した際に連続したデータとなり、かつ適切なタイミングでそれぞれが出力されるようにタイミング信号（出力タイミング情報）を付し、送信用データとして統合する。そして、制御回路２３は、この生成した送信用データを、送信回路２４に出力する。送信回路２４では、制御回路２３により入力された上記送信用データを光信号（赤外線伝送信号）に変換してアンテナ２５を通じて受信装置３に送信する。
【００８０】
一方、受信装置３では、受信回路３２が、送信装置２から送信された光信号（送信用データ）を、アンテナ３１を通じて受信すると、この光信号を電気信号に変換し受信制御回路３３に入力する。受信制御回路３３は、入力された送信用データから、付加されているタイミング信号に基づき、Ｌ用音響データとＲ用音響データとが連続したデータとなるように復元し、伸張回路３４に入力する。
【００８１】
伸張回路３４では、受信制御回路３３から入力された、復元した送信用データ（Ｌ用音響データおよびＲ用音響データ）それぞれを伸張し、D／A変換回路３５に出力する。D／A変換回路３５では、伸張された送信用データ（Ｌ用音響データおよびＲ用音響データ）それぞれをデジタル信号から音声信号に変換して音響出力処理部４に送信する。
【００８２】
上述のように送信装置２は、音響出力装置５側における、音響データに基づく出力処理を適切に実行できるように規定して、該音響データを音響出力装置５に対して送信することができる。
【００８３】
なお、上記音響再生システム１００では、上記したように送信装置２が圧縮回路２２を備え、図６のように音響データを圧縮して赤外線により受信装置３に送信する構成である。また、受信装置３が伸張回路３４を備え、圧縮された音響データを伸張して復元できる構成である。
【００８４】
このように上記音響再生システム１００では、送信装置２が音響データを圧縮して送信することができるため、音響データの伝送効率を高めることができる。なお、送信する音響データはすべて一度に圧縮して１回で伝送する構成であってもよいし、２回以上に分けて圧縮し、間欠的に伝送する構成であってもよい。
【００８５】
なお、上記した図６は、本実施の形態に係る音響再生システム１００に係る音響データ転送における、送信用データの送信形態の一例を示す図である。
【００８６】
ただし、音響再生装置１で受信した音響データをそのままリアルタイムで、音響出力装置５から出力する場合、図７に示すように音響データは圧縮されず送信装置２と受信装置３との間でそのまま伝送される。この図７は、本実施の形態に係る音響再生システム１００に係る音響データ転送における、送信用データがストリーミングデータである場合の送信形態の一例を示す図である。
【００８７】
また、上記音響再生システム１００では、上記したように、Ｌ用音響データとＲ用音響データとの異なる音響データを伝送する場合であっても、送信装置２が、図８に示すように、Ｌ用音響データとＲ用音響データとをそれぞれ圧縮して、タイミング信号を付して送信用データを作成して、受信装置３に送信することができる。
【００８８】
また、受信装置３では、この送信用データを受信すると、タイミング信号に基づきＬ用音響データとＲ用音響データとを復元し、両者をそれぞれ適切なタイミングでＬ用スピーカ部とＲ用スピーカ部とから出力させることができる。
【００８９】
このように、上記音響再生システム１００は、異なる音響データを適切に送信装置２から受信装置３に伝送させることができる。なお、図８は、本実施の形態に係る音響再生システム１００に係る音響データ転送における、異なる種類の送信用データを送信する場合の送信形態の一例を示す図である。
【００９０】
また、上記音響再生システム１００が、送信装置２と受信装置３との間において双方向通信可能となっており、半二重方式により情報の送受信を行うように構成されている場合、以下のようにして音響データを送信することができる。
【００９１】
すなわち、送信装置２は、図９に示すように、図４に示す構成において、さらに第２受信回路２６を備え、一方、受信装置３は、図５に示す構成において、さらに第２送信回路３６を備える。そして、上記したように送信装置２から受信装置３に対して圧縮された送信用データ（音響データ）が送信されると、該受信装置３では、受信回路３２で光信号から電気信号に変換し、受信制御回路３３で送信用データ（音響データ）を復元させる。このように、受信制御回路３３が受信した送信用データ（音響データ）を復元させると、第２送信回路３６にレディ信号（受信完了情報）を送信装置２に対して送信するように指示する指示信号を入力する。この指示信号に応じて、第２送信回路３６はレディ信号を、アンテナ３１ｂを通じて送信装置２に送信する。
【００９２】
なお、このレディ信号とは、次の送信用データ（音響データ）の受信準備が受信装置３側でできたことを示す信号である。
【００９３】
送信装置２では、アンテナ２５ｂを通じて第２受信回路２６がこのレディ信号を受信し、制御回路２３に入力する。制御回路２３では、第２受信回路２６からレディ信号が入力されると、次の送信用データを生成し、該送信用データを、送信用回路を介して受信装置３に送信させる。
【００９４】
このように、受信装置３側からレディ信号が送信され、該レディ信号に応じて送信装置２から該受信装置３に送信用データを送信する構成とすることにより、受信装置３にて一度に受信できる許容量以上の送信用データが送信されることを防ぐことができる。このため、大量のデータを送信装置２から受信装置３に送信させる場合であっても、効率よく送信用データを送信できる。
【００９５】
なお、上記にて参照した図９は、受信装置３からレディ信号が送信される場合における、本実施の形態に係る送信装置２および受信装置３それぞれの要部構成を示すブロック図である。
【００９６】
（実施例２）
次に、図１０に示すように、受信装置３を２つ備え（受信装置３（Ｒ）、受信装置３（Ｌ））、これら受信装置３それぞれに音響データを送信する音響再生システム１００について説明する。なお、この図１０は、本実施の形態に係る別の実施例における音響再生システム１００の使用態様の一例を示す図である。
【００９７】
まず、ここでは、上記受信装置３が、音響出力装置５におけるユーザの耳に当接されるスピーカ部それぞれに配置されているものとする。なお、ここでは説明の便宜上、ユーザの左耳に当接されるＬ用スピーカ部に配置された受信装置３をＬ用受信装置３（Ｌ）とし、一方ユーザの右耳に当接されるＲ用スピーカ部に配置された受信装置３をＲ用受信装置３（Ｒ）とする。
【００９８】
この実施例２に示す音響再生システム１００では、実施例１と同様に、上記音響再生装置１をユーザの胸ポケットに収容している。そして、送信装置２から出力した赤外線を受信装置３が受信できる位置となる、すなわち、送信装置２と受信装置３との間において光通信が確立する位置となるように、装着部によりユーザの胸の中央付近に、送信装置２を固定している。
【００９９】
このように各装置が配置された音響再生システム１００において、上記送信装置２と受信装置３との間における音響データ転送は以下のように実行される。
【０１００】
まず、図１１に示すようにＲ用受信装置３（Ｒ）およびＬ用受信装置３（Ｌ）それぞれは、偏光板（偏光部）Ｒ１および偏光板（偏光部）Ｌ１を備えている。そして、この偏光板Ｒ１および偏光板Ｌ１それぞれは、両者の透過軸方向が直交するように構成されている。なお、図１１は、本実施の形態に係る別の実施例に示す受信装置３が備える偏光板の一例を示す図である。
【０１０１】
一方、図１２に示すようにＲ用受信装置３（Ｒ）およびＬ用受信装置３（Ｌ）それぞれに音響データを送信する送信装置２は、Ｒ用受信装置３と光通信を行うＲ用送信装置２（Ｒ）と、Ｌ用受信装置３（Ｌ）と光通信を行うＬ用送信装置２（Ｌ）とを備えている。なお、図１２は、本実施の形態に係る別の実施例に示す送信装置２が備える偏光板の一例を示す図である。
【０１０２】
Ｒ用送信装置２（Ｒ）およびＬ用送信装置２（Ｌ）は、それぞれ、偏光板（偏光部）Ｒ２およびＬ２を備え、偏光板Ｒ２とＬ２とでは、透過軸方向が直交し、偏光板Ｒ１と偏光板Ｒ２、ならびに偏光板Ｌ１と偏光板Ｌ２とは、透過軸方向が一致するように構成されている。
【０１０３】
このため、Ｒ用送信装置２（Ｒ）から送信した光信号をＬ用受信装置３（Ｌ）で受信してしまったり、逆にＬ用送信装置２（Ｌ）から送信した光信号をＲ用受信装置３（Ｒ）で受信してしまったりすることを防ぐことができる。
【０１０４】
よって、実施例２に示す送信装置２と受信装置３との間では、Ｒ用送信装置２（Ｒ）から送信する光信号とＬ用送信装置２（Ｌ）から送信する光信号とを、Ｒ用受信装置３（Ｒ）およびＬ用受信装置３（Ｌ）において混信させずに、両者を同時に送信することができる。
【０１０５】
なお、実施例２に示す送信装置２と受信装置３との間における音響データ転送は、Ｌ用送信装置２（Ｌ）とＬ用受信装置３（Ｌ）との間において、また、Ｒ用送信装置２（Ｒ）とＲ用受信装置３（Ｒ）との間において、それぞれ上記実施例１に示す送信装置２と受信装置３との間における音響データ転送と同様にして行われるためその説明は省略する。
【０１０６】
以上のようにして、２つの受信装置３（Ｌ用受信装置３（Ｌ）およびＲ用受信装置３（Ｒ））と２つの送信装置２（Ｌ用送信装置２（Ｌ）およびＲ用送信装置２（Ｌ））との間で、それぞれＬ用音響データとＲ用音響データとが混信しないように送信することができる。なお、このようにＬ用およびＲ用の音響データをそれぞれ別々に送信する構成の場合、送信装置２は下記のような位置に固着される。
【０１０７】
すなわち、送信装置２は、Ｌ用送信装置２がＬ用受信装置３との通信を確立できる位置であり、Ｒ用送信装置２がＲ用受信装置３との通信を確立できる位置となるようにＬ用送信装置２およびＲ用送信装置２それぞれをユーザの衣服等に装着部により固定させる。
【０１０８】
（実施例３）
次に、図１３および図１４を参照して、上記装着部によってユーザの装備品に装着された送信装置２以外の他の送信装置９からも音響データを受信できる音響再生システム１００について説明する。なお、図１３および図１４は、本実施の形態に係る別の実施例に示す音響再生システム１００の使用態様の一例を示す図である。
【０１０９】
より具体的には、実施例３に係る音響再生システム１００では、まず、図１３に示すように、受信装置３を備えた音響出力装置５を装備したユーザがシートに座っているものとする。
【０１１０】
また、このユーザは、ポケットに音響再生装置１を収容し、該ポケットの口の縁部に送信装置２を装着部により装着し、該送信装置２と上記受信装置３との間において光通信を確立できるようになっている。
【０１１１】
また、ユーザが座っているシートには、上記した送信装置２とは別の、第２送信装置９が設置されており、この第２送信装置９は、不図示の音響再生装置１から受信した音響データを受信装置３に対して送信できるようになっている。
【０１１２】
このように、受信装置３は、送信装置２と第２送信装置９とのいずれかからも音響データを受信でき、受信した音響データを音響出力処理部４により出力処理させることができる。なお、上記受信装置３は、送信装置２および第２送信装置９それぞれから送信された音響データを受信できるような指向性を有している。
【０１１３】
このため、実施例２に示す音響再生システム１００では、例えば、送信装置２から音響データの送信がない場合は、第２送信装置９からの音響データを受信して出力することができる。なお、送信装置２および第２送信装置９いずれからも音響データを受信できる場合、ユーザが音響再生装置１の電源をＯＦＦして第２送信機９からのみ音響データを受信するなど、ユーザによって音響データの提供先を選択できるようになっている。
【０１１４】
また、上記した音響再生システム１００では、第２送信装置９が、ユーザが着座しているシートに備えられていたが、例えば、図１４に示すように、ユーザが存在する室内の天井部分に備えられ、受信装置３は、送信装置２と、第２送信装置９とのいずれからも音響データを受信することができるように構成されていてもよい。
【０１１５】
また、実施例３に係る音響再生システム１００における受信装置３は、送信装置２と第２送信装置９との両者からの音響データをそれぞれ受信できるような指向性を有していたが、送信装置２用の受信装置３と、第２送信装置９用の受信装置３とをそれぞれ別個に備える構成であってもよい。
【０１１６】
なお、この実施例３に係る音響再生システム１００における送信装置２と受信装置３との間における音響データ転送、ならびに第２送信装置９と受信装置３との間における音響データ転送は、上記実施例１に示す送信装置２と受信装置３との間における音響データ転送と同様にして行われるためその説明は省略する。
【０１１７】
本発明は上述した各実施例に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１８】
本発明に係る送信装置は、赤外線等の光信号を利用したデータ通信により、携帯用の音響再生装置から音響データを音響出力装置に送信する場合、装着部を備えているため、該データ通信が阻害されない位置に当該送信装置を装着することができる。
【０１１９】
このため、音響再生装置と音響出力装置との間で実行されるデータ通信を無線で行うことができ、利用者に煩わしさを感じさせることなく、安定したデータ通信を実現することができる。
【図面の簡単な説明】
【０１２０】
【図１】本発明の実施形態を示すものであり、送信装置の装着状態の一例を示す図である。
【図２】本発明の実施形態を示すものであり、音響再生システムの要部構成を示すブロック図である。
【図３】本実施の形態に係る音響再生システムの使用態様の一例を示す図である。
【図４】本発明の実施形態を示すものであり、送信装置の要部構成を示すブロック図である。
【図５】本発明の実施形態を示すものであり、受信装置の要部構成を示すブロック図である。
【図６】本実施の形態に係る音響再生システムに係る音響データ転送における、送信用データの送信形態の一例を示す図である。
【図７】本実施の形態に係る音響再生システムに係る音響データ転送における、送信用データがストリーミングデータである場合の送信形態の一例を示す図である。
【図８】本実施の形態に係る音響再生システムに係る音響データ転送における、異なる種類の送信用データを送信する場合の送信形態の一例を示す図である。
【図９】受信装置からレディ信号が送信される場合における、本実施の形態に係る送信装置および受信装置それぞれの要部構成を示すブロック図である。
【図１０】本実施の形態に係る別の実施例における音響再生システムの使用態様の一例を示す図である。
【図１１】本実施の形態に係る別の実施例に示す受信装置が備える偏光板の一例を示す図である。
【図１２】本実施の形態に係る別の実施例に示す送信装置が備える偏光板の一例を示す図である。
【図１３】本実施の形態に係る別の実施例に示す音響再生システムの使用態様の一例を示す図である。
【図１４】本実施の形態に係る別の実施例に示す音響再生システムの使用態様の一例を示す図である。
【符号の説明】
【０１２１】
１    音響再生装置
２    送信装置
２（Ｌ）  送信装置
２（Ｒ）  送信装置
３    受信装置
３（Ｌ）  受信装置
３（Ｒ）  受信装置
４    音響出力処理部
５    音響出力装置
６    装着部
９    第２送信装置（他の送信装置）
２２  圧縮回路（圧縮部）
２３  制御回路（送信指示部）
２６  第２受信回路（受信部）
１００  音響再生システム
Ｒ１  偏光板（偏光部）
Ｒ２  偏光板（偏光部）
Ｌ１  偏光板（偏光部）
Ｌ２  偏光板（偏光部）
【図１】
2008010973.tif 000003
【図２】
2008010973.tif 000004
【図３】
2008010973.tif 000005
【図４】
2008010973.tif 000006
【図５】
2008010973.tif 000007
【図６】
2008010973.tif 000008
【図７】
2008010973.tif 000009
【図８】
2008010973.tif 000010
【図９】
2008010973.tif 000011
【図１０】
2008010973.tif 000012
【図１１】
2008010973.tif 000013
【図１２】
2008010973.tif 000014
【図１３】
2008010973.tif 000015
【図１４】
2008010973.tif 000016